(57)【要約】【課題】筐体の上に載置したものを下ろさずにメンテナンス時の感電を防止することができる感電防止機構及び感電防止機構を備える情報処理端末を提供する。【解決手段】情報処理端末は背面に感電防止機構を備える。感電防止機構は、接続機構を摺動することにより被覆する電源被覆板と、電源被覆板が接続機構を露出するときに横方向の摺動が電源被覆板により阻止され、電源被覆板が接続機構を被覆したときに横方向の摺動が可能となる分割阻止部材と、分割阻止部材の横方向の摺動を阻止する鍵取り付け部材と、を備える。分割阻止部材はプリント回路基板ブロックの取り外しを阻止する。従って、操作者が接続機構から電源線を外したときに初めてプリント回路基板ブロックの取り外しが可能となり、感電を防止することができるという効果がある。【選択図】図２
2011048659.tif 000002
【特許請求の範囲】
【請求項１】
情報処理端末の背面の電源と接続する接続機構を第１の方向に摺動することにより被覆する電源被覆板と、
前記電源被覆板が接続機構を露出するときに前記電源被覆板により摺動が阻止されることにより前記情報処理端末が内蔵するプリント回路基板ブロックの分割を阻止し、前記電源被覆板が接続機構を被覆したときに第２の方向の摺動が可能となってプリント回路基板ブロックの分割を許容する分割阻止部材と、
を備えることを特徴とする感電防止機構。
【請求項２】
第３の方向への摺動を阻止する鍵を取り付けるための鍵取り付け孔を備え、第３の方向とは逆方向に摺動することにより前記分割阻止部材の第２の方向への摺動を阻止する鍵取り付け部材をさらに備えることを特徴とする請求項１記載の感電防止機構。
【請求項３】
前記プリント回路基板ブロックに回動可能に係止され、回動することにより情報処理端末のケースが備える突起である分割突起を押圧して前記プリント回路基板ブロックを前記ケースから分割する分割レバーをさらに備えることを特徴とする請求項１記載の感電防止機構。
【請求項４】
プリント回路基板を装着可能な電子回路群であるプリント回路基板ブロックと、
前記プリント回路基板ブロックを被覆するケースと、
前記プリント回路基板ブロックの背面の電源と接続する接続機構を第１の方向に摺動することにより被覆する電源被覆板と、前記電源被覆板が接続機構を露出するときに前記電源被覆板により摺動が阻止されることにより前記情報処理端末が内蔵するプリント回路基板ブロックの分割を阻止し、電源被覆板が接続機構を被覆したときに第２の方向の摺動が可能となってプリント回路基板ブロックの分割を許容する分割阻止部材と、を備える感電防止機構と、
を備えることを特徴とする情報処理端末。
【請求項５】
前記感電防止機構は、
第３の方向への摺動を阻止する鍵を取り付けるための鍵取り付け孔を備え、第３の方向とは逆方向に摺動することにより前記分割阻止部材の第２の方向への摺動を阻止する鍵取り付け部材をさらに備えることを特徴とする請求項４記載の情報処理端末。
【請求項６】
前記感電防止機構は、
前記プリント回路基板ブロックに回動可能に係止され、回動することにより情報処理端末のケースが備える突起である分割突起を押圧して前記プリント回路基板ブロックを前記ケースから分割する分割レバーをさらに備えることを特徴とする請求項４記載の情報処理端末。
【発明の詳細な説明】
【技術分野】
【０００１】
本発明は、筐体を開ける場合に感電を防止する感電防止機構及びこの感電防止機構を備える情報処理端末に関する。
【背景技術】
【０００２】
パソコンやＰＯＳターミナルのような情報処理端末は電源と接続する接続機構を備えている。情報処理端末をメンテナンスする場合、電源線を接続機構から取り外すことにより感電を防止する。
【０００３】
しかし、電源線を接続機構から取り外すことを忘れて情報処理端末の筐体を開け、感電したり内部の機器を損傷させたりすることがある。
【０００４】
この点に関し、筐体のカバーに電源線を挿通する挿通孔を設け、電源線を抜かないとカバーが外せないように構成する技術が提案されている（例えば、特許文献１）。
【先行技術文献】
【特許文献】
【０００５】
【特許文献１】特開平１０−９２５０４号公報
【発明の概要】
【発明が解決しようとする課題】
【０００６】
しかし、特許文献1のように構成すると、メンテナンスする場合には筐体の上に置いてあるモニタやプリンタを下ろしてからカバーを開けなければならず、手間がかかるという問題点がある。
【０００７】
本発明は、筐体の上に載置したものを下ろさずにメンテナンス時の感電を防止することができる感電防止機構及び感電防止機構を備える情報処理端末を提供することを目的とする。
【課題を解決するための手段】
【０００８】
本発明は、情報処理端末の背面の電源と接続する接続機構を第１の方向に摺動することにより被覆する電源被覆板と、電源被覆板が接続機構を露出するときに電源被覆板により摺動が阻止されることにより情報処理端末が内蔵するプリント回路基板ブロックの分割を阻止し、電源被覆板が接続機構を被覆したときに第２の方向の摺動が可能となってプリント回路基板ブロックの分割を許容する分割阻止部材と、を備えることを特徴とする感電防止機構を提供する。
【発明の効果】
【０００９】
本発明によれば、筐体の上に載置したものを下ろさずにメンテナンス時の感電を防止することができる感電防止機構及び感電防止機構を備える情報処理端末を提供することができるという効果がある。
【図面の簡単な説明】
【００１０】
【図１】情報処理端末の正面斜視図である。
【図２】情報処理端末の背面斜視図である。
【図３】鍵取り付け部材を本体に収容した様子を示す図である。
【図４】分割阻止部材を解除した様子を示す図である。
【図５】分割阻止部材を取り外した様子を示す図である。
【図６】プリント回路基板ブロックが分割された状態を示す図である。
【図７】分割されたプリント回路基板ブロックの底面斜視図である。
【図８】電源被覆板の分解斜視図である。
【図９】鍵取り付け部材の分解斜視図である。
【図１０】分割阻止部材がロックされた状態を示す図である。
【図１１】分割阻止部材のロックが解除された状態を示す図である。
【図１２】分割レバーの動作を示す図である。
【発明を実施するための形態】
【００１１】
以下に、本発明の一実施形態に係る感電防止機構及び感電防止機構を備える情報処理端末を、図面を参照して詳細に説明する。図１は、本実施形態の情報処理端末１０の正面斜視図である。図２は、情報処理端末１０の背面斜視図である。情報処理端末１０は、例えばコンピュータ、ＰＯＳターミナル、ＤＶＤプレーヤなどが挙げられるがこれらに限定されない。
【００１２】
図１及び図２に示すように、本実施形態の情報処理端末１０は感電防止機構を備える。感電防止機構は、情報処理端末１０の背面の電源と接続する接続機構１１を第１の方向すなわち縦方向に摺動することにより被覆する電源被覆板１３と、電源被覆板１３を締め付けて係止する係止部材１３Ａと、電源被覆板１３が接続機構１１を露出するときに第２の方向すなわち横方向の摺動が電源被覆板１３により阻止され、電源被覆板１３が接続機構１１を被覆したときに横方向の摺動が可能となる分割阻止部材１２と、分割阻止部材１２の横方向の摺動を阻止する鍵取り付け部材１４と、を備える。分割阻止部材１２はレバーカバー１２Ａを有する。分割阻止部材１２は電源被覆板１３により横方向の摺動が阻止される。
【００１３】
図３は、鍵取り付け部材１４を第３の方向すなわち奥側に摺動させて本体に収容した様子を示す図である。図３に示すように、鍵取り付け部材１４は、鍵が取り付けられていない場合には本体内部に収納され、分割阻止部材１２の横方向の摺動を許容する。
【００１４】
図４は、分割阻止部材１２を解除した様子を示す図である。図４に示すように、接続機構１１から電源線が抜かれると、係止部材１３Ａが緩められることにより電源被覆板１３が矢印Ｘ１方向に摺動可能となる。
【００１５】
電源被覆板１３が矢印Ｘ１方向に摺動されると、電源被覆板１３は接続機構１１を覆い、電源線の接続が不可能となる。また、電源被覆板１３の下方に分割阻止部材１２が入り込むだけの空間が生じることにより阻止が解除され、分割阻止部材１２の横方向、すなわち矢印Ｘ２方向の摺動が可能となる。
【００１６】
図５は、分割阻止部材１２を取り外した様子を示す図である。図５に示すように、分割阻止部材１２は横方向に摺動した後は手前側、すなわち矢印Ｘ３方向に引き抜くことができる。
【００１７】
情報処理端末１０は、プリント回路基板ブロック１０Ａに回動可能に係止される分割レバー１５を有する。また、情報処理端末１０は、プリント回路基板を装着可能な電子回路群であるプリント回路基板ブロック１０Ａを分割可能に備える。分割レバー１５が矢印Ｘ４方向に押し回されると、プリント回路基板ブロック１０Ａは情報処理端末１０から分割される。
【００１８】
図６は、プリント回路基板ブロック１０Ａが分割された状態を示す図である。図６に示すように、分割されたプリント回路基板ブロック１０Ａは、矢印Ｘ５の方向にプリント回路基板ブロックを被覆するケース１０Ｂから引き抜くことが可能となる。プリント回路基板ブロック１０Ａは基板増設用のスロットを有しており、ユーザは感電の恐れがない状態でメンテナンスを行うことが可能となる。
【００１９】
図７は、分割されたプリント回路基板ブロック１０Ａの底面斜視図である。図７に示すように、プリント回路基板ブロック１０Ａは分割レバー１５を回動可能に備える。分割レバー１５は、レバー部１５Ａと、押圧部１５Ｃとを備え、レバー部１５Ａと押圧部１５Ｃとの間に分割レバー１５を回動可能に係止する回動係止部１５Ｂを有する。
【００２０】
レバー部１５Ａが力点、回動係止部１５Ｂが支点、押圧部１５Ｃが作用点となり、てこの原理によってプリント回路基板ブロック１０Ａは情報処理端末１０から分割される。
【００２１】
分割阻止部材１２はプリント回路基板ブロック１０Ａ側にフック状の切り欠きであるフック部１２Ｂを有する。
【００２２】
図８は、電源被覆板１３の分解斜視図である。図８に示すように、電源被覆板１３はピン及びワッシャからなる留め具１３Ｂをプリント回路基板ブロック１０Ａの摺動孔１３Ｃに挿通することによりプリント回路基板ブロック１０Ａに摺動可能に係止される。
【００２３】
係止部材１３Ａは電源被覆板１３をプリント回路基板ブロック１０Ａに係止する。係止部材１３Ａが緩められることにより電源被覆板１３が摺動可能となる。
【００２４】
図９は、鍵取り付け部材１４の分解斜視図である。図９に示すように、鍵取り付け部材１４は、第３の方向への摺動を阻止する鍵を取り付けるための鍵取り付け孔１４Ｂと、鍵取り付け部材１４をプリント回路基板ブロック１０Ａに摺動可能に係止するための取り付け孔１４Ｃとを有する。ネジ１４Ａは取り付け孔１４Ｃに挿通され、プリント回路基板ブロック１０Ａの摺動ピン１４Ｄに係止される。摺動ピン１４Ｄは鍵取り付け部材１４の厚さ以上の高さを有する。
【００２５】
図１０は、分割阻止部材１２がロックされた状態を示す図である。図１１は、分割阻止部材１２のロックが解除された状態を示す図である。図１０及び図１１においては、プリント回路基板ブロック１０Ａの図示を省略してある。図１０及び図１１に示すように、ケース１０Ｂは、内部にピン状の係止突起１６を有する。
【００２６】
分割阻止部材１２はフック部１２Ｂを係止突起１６に掛けることによりケース１０Ｂに係止される。分割阻止部材１２は横方向、すなわち矢印Ｘ６方向に摺動されることによりロックが解除され、ケース１０Ｂから取り外しが可能となる。
【００２７】
図１２は、分割レバー１５の動作を示す図である。図１２においては、プリント回路基板ブロック１０Ａの図示を省略してある。図１２に示すように、分割レバー１５が矢印Ｘ７の方向に回動すると、押圧部１５Ｃが矢印Ｘ８の方向に回動する。押圧部１５Ｃはケース１０Ｂに設けられた突起である分割突起１７を押圧する。分割突起１７の反作用によりプリント回路基板ブロック１０Ａは情報処理端末１０から分割される。
【００２８】
以上述べたように、本実施形態の情報処理端末１０は背面に感電防止機構を備える。感電防止機構は、接続機構１１を摺動することにより被覆する電源被覆板１３と、電源被覆板１３が接続機構１１を露出するときに横方向の摺動が電源被覆板１３により阻止され、電源被覆板１３が接続機構１１を被覆したときに横方向の摺動が可能となる分割阻止部材１２と、分割阻止部材１２の横方向の摺動を阻止する鍵取り付け部材１４と、を備える。分割阻止部材１２はプリント回路基板ブロック１０Ａの取り外しを阻止する。従って、筐体の上に載置したものを下さずに操作者が接続機構１１から電源線を外したときに初めてプリント回路基板ブロック１０Ａの取り外しが可能となり、感電を防止することができるという効果がある。
【符号の説明】
【００２９】
１０：情報処理端末、
１０Ａ：プリント回路基板ブロック、
１２：分割阻止部材、
１３：電源被覆板、
１４：鍵取り付け部材、
１５：分割レバー。
【図１】
2011048659.tif 000003
【図２】
2011048659.tif 000004
【図３】
2011048659.tif 000005
【図４】
2011048659.tif 000006
【図５】
2011048659.tif 000007
【図６】
2011048659.tif 000008
【図７】
2011048659.tif 000009
【図８】
2011048659.tif 000010
【図９】
2011048659.tif 000011
【図１０】
2011048659.tif 000012
【図１１】
2011048659.tif 000013
【図１２】
2011048659.tif 000014